(57)【要約】【課題】冷菓の形状を崩さず、冷菓を容易に取り出し可能な冷菓用容器、及びその中に冷菓を収容した冷菓ポーションを提供する。【解決手段】円形の開口部を有する容器本体１４と、この容器本体１４の開口部に着脱可能に装着され、装着状態で前記容器本体１４に対して回動可能で、前記容器本体１４の内側に向けて突出する回転トルク伝達用の突起１２ｂが形成された蓋１２と、前記容器本体１４に収容された冷菓１０とを備えたことを特徴とする。【選択図】図１
2007076709.tif 000002
【特許請求の範囲】
【請求項１】
冷菓を収納する円形の開口部を有する容器本体と、
この容器本体の開口部に着脱可能に装着され、装着状態で前記容器本体に対して回動可能で、前記容器本体の内側に向けて突出する回転トルク伝達用の突起が形成された蓋と
を備えたことを特徴とする冷菓用容器。
【請求項２】
前記容器本体は半球状であることを特徴とする請求項１記載の冷菓用容器。
【請求項３】
前記蓋は、周縁部の一部に把持部を形成してなるものであることを特徴とする請求項１又は２記載の冷菓用容器。
【請求項４】
前記回転トルク伝達用の突起は、長手方向が前記蓋の中心から前記蓋の中心及び前記把持部の中心を通る直線に沿って両側に延びる矩形状であることを特徴とする請求項３記載の冷菓用容器。
【請求項５】
前記容器本体は、内側に螺旋突起が形成されていることを特徴とする請求項１〜４のいずれか１項記載の冷菓用容器。
【請求項６】
円形の開口部を有する容器本体と、
この容器本体の開口部に着脱可能に装着され、装着状態で前記容器本体に対して回動可能で、前記容器本体の内側に向けて突出する回転トルク伝達用の突起が形成された蓋と、
前記容器本体に収容された冷菓と
を備えたことを特徴とする冷菓ポーション。
【発明の詳細な説明】
【技術分野】
【０００１】
本発明は、冷菓を移し変え可能に収納できる冷菓用容器、及びその中に冷菓を収容した冷菓ポーションに関するものである。
【背景技術】
【０００２】
一般的に、冷凍されたアイスクリーム等の冷菓は、冷菓用容器に付着し、冷菓を容器本体から取り出す際に、冷菓の形状が変形したり、或いは取り出すことに時間を要したりする。特に、結婚披露宴のように大人数が出席する宴会等において、冷菓用容器に収納された冷菓を皿に盛り付ける場合を想定すると、冷菓は短時間でその形状が崩れるものであるので、取り出す時間の早さも要求される。
【０００３】
このような問題点を解決すべく、引用文献１には、容器本体の底部にスリットを設け、このスリットから容器本体に圧縮空気を吹き込んでアイスクリームを容器本体から取り出し可能としたアイスクリームの容器が開示されている。
【０００４】
また、引用文献２には、半球状凹型の容器本体の開口縁部に一対のつかみ部を設け、このつかみ部を両側に引き裂くことにより、容器本体から、型崩れなくアイスクリームを排出可能にしたアイスクリームの容器が開示されている。
【０００５】
【特許文献１】実開平５−４０１８９号公報
【特許文献２】実開平５−５１７９４号公報
【発明の開示】
【発明が解決しようとする課題】
【０００６】
しかしながら、引用文献１開示の容器においては、冷菓を容器本体から取り出すためにコンプレッサが必要となる。また、引用文献２においては、冷菓は、比較的容易に容器本体から取り出すことは可能であるが、容器本体を両手で引き裂くために、大量に盛り付ける際の作業量が多く、且つ容器本体の再利用が不可能であるという問題がある。また、容器本体を引き裂いた際に、容器の破片が冷菓に混入する可能性もある。更に容器本体を引き裂いたときに、冷菓に手で触れてしまうという衛生上の問題もある。
【０００７】
本発明は、このような問題に鑑みてなされたものであって、冷菓の形状を崩さず、冷菓を容易に取り出し可能な冷菓用容器、及びその中に冷菓を収容した冷菓ポーションを提供することを目的とする。
【課題を解決するための手段】
【０００８】
本発明に係る冷菓用容器は、冷菓を収納する円形の開口部を有する容器本体と、この容器本体の開口部に着脱可能に装着され、装着状態で前記容器本体に対して回動可能で、前記容器本体の内側に向けて突出する回転トルク伝達用の突起が形成された蓋と、を備えたことを特徴とする。
【０００９】
本発明に係る冷菓ポーションは、円形の開口部を有する容器本体と、この容器本体の開口部に着脱可能に装着され、装着状態で前記容器本体に対して回動可能で、前記容器本体の内側に向けて突出する回転トルク伝達用の突起が形成された蓋と、前記容器本体に収容された冷菓とを備えたことを特徴とする。
【００１０】
ここで、前記容器本体は半球状であり、前記蓋は、周縁部の一部に把持部を形成してなるものであることが望ましい。さらに、前記回転トルク伝達用の突起は、長手方向が前記蓋の中心から前記蓋の中心及び前記把持部の中心を通る直線に沿って両側に延びる矩形状であることが望ましい。又は、前記容器本体は、内側に螺旋突起が形成されている構成であってもよい。
【発明の効果】
【００１１】
本発明によれば、容器本体に対し蓋を回動させると、冷菓は回転トルク伝達用の突起により蓋の回動方向に力を受け、蓋と共に回転する。したがって、冷菓を容器本体から形状を崩すことなく、容易に取りはずすことが可能となる。
【００１２】
また、容器本体を半球状とし、蓋の周縁部の一部に把持部を形成することにより、容易に容器本体を把持することが可能となる。また、回転トルク伝達用の突起を、長手方向が前記蓋の中心から蓋の中心及び把持部の中心を通る直線に沿って両側に延びる矩形状とすることにより、冷菓は蓋からも容易に取り外すことが可能なる。また、容器本体の内側に螺旋突起を形成することにより、さらに容易に冷菓を容器本体から取り外すことが可能となる。
【発明を実施するための最良の形態】
【００１３】
（第１実施形態）
図１及び図２を参照して、本発明に係る冷菓ポーション、及び冷菓用容器１の第１実施形態について説明する。図１は本発明に係る冷菓ポーション、及び冷菓用容器の第１実施形態の斜視図であり、図２はその分解斜視図、図３は図１のＡ−Ａ’断面図である。図１〜図３に示すように冷菓用容器１は円板状に形成された蓋１２及び半球型に形成されて上面に円形の開口を有する容器本体１４からなる。この冷菓用容器１の材料としては、ポリプロピレン等の合成樹脂材料等が適しており、この内部にアイスクリーム又はシャーベットなどの冷菓１０が収納されている。
【００１４】
円盤状の蓋１２の縁には鍔部１２ａが形成されており、この鍔部１２ａに容器本体１４が着脱自在に嵌合される。この鍔部１２ａの任意の箇所には、周方向に延びるように形成された把持部１２ｃが形成されている。また、蓋１２には、矩形底面と鋭角の傾斜面とを有し、内側に向かって突出した第１突出部１２ｂが形成されており、それは、蓋１２の中心と把持部１２ｃの中心とを結んだ直線と上記矩形底面の長手方向の中心軸とが、重なるように配置されている。
【００１５】
容器本体１４の上面開口部には嵌合部１４ａが形成されている。この嵌合部１４ａの内周面及び外周面には、円周方向に等間隔に配置されて、内側及び外側に向かって突出した嵌合補助部１４ｂが形成されており、これらは、鍔部１２ａに嵌合し、容器本体１４と蓋１２とが回転可能かつ着脱可能とする効果を奏する。また、この嵌合部１４ａの任意の箇所には、周方向に延びるように形成された把持部１４ｃが形成されている。
【００１６】
次に、この冷菓用容器１に収納された冷菓１０の取り出し方法について説明する。冷凍された冷菓１０は、蓋１２及び容器本体１４に密着固化されている。蓋１２は第１突出部１２ｂを除き平面の構造を有しているため、蓋１２は容易に冷菓１０から隔離されるが、容器本体１４は半球型の構造であるため非常に隔離は困難な状態となっている。そこで、本発明には第１突出部１２ｂを設け、容器本体１４と冷菓１０を隔離可能の構成としている。すなわち、この密着固化した冷菓１０を取り出す際に、まず、蓋１２の外周及び容器本体１４の外周を把持し、容器本体１４に対し、蓋１２を回動させる。この際、第１突出部１２ｂから冷菓１０は回転方向にモーメントを受け、蓋１２と共に回転する。一方、容器本体１４は冷菓１０に対し逆方向に回転し、冷菓１０と容器本体１４とは隔離されることになる。そして、把持部１２ｃ及び把持部１４ｃを把持し、対向する向きに引くことにより蓋１２をはずし、容器本体１４に収められた冷菓１０を、片手で皿やコーンカップ等の他の容器に移し替え可能となる。また、冷菓１０自体を手で触れることもなく、衛生上の問題も発生しない。
【００１７】
上記のように冷菓１０を蓋１２から引き剥がす時、冷菓１０に加わる力が不均一であればあるほど、冷菓１０を変形させ、又は容易に引き剥がすことが困難になると考えられる。ここで、蓋１２を冷菓１０から引き剥がす際に生じる力を２成分に分けると、蓋１２に対して垂直上向き方向と、図１に示す蓋１２に対して平行な方向であるＢ軸方向とになる。このＢ軸方向であれば、他の構成と比較して、冷菓１０に加わる力は、大きく不均一にはなることはない。したがって、この第１突出部１２ｂと把持部１２ｃとの位置関係は、冷菓１０から容易に引き剥がし可能とする作用効果を奏する。
【００１８】
（第２実施形態）
次に、図４を参照して、本発明の第２実施形態に係る冷菓用容器２について説明する。図４は本発明の第２実施形態に係る冷菓用容器２の分解斜視図である。
【００１９】
図４に示すように、第２実施形態に係る冷菓用容器２が第１実施形態と異なる箇所は、蓋２２の構造であって、第１突出部１２ｂの代わりに第１突出部２２ｂを備える点である。その他、鍔部２２ａ、把持部２２ｃの構成は第１実施形態と同様である。この第２突出部２２ｂの形状は上記第１突出部１２ｂに直交して同様の形状を有する突出部を形成したものであり、すなわち、十字型の突出部となっている。このような形状を有することにより、冷菓を収容した場合、蓋２２に対し容器本体１４を回転させる際、第１実施形態と比較して、第１突出部２２ｂが冷菓から外れることなく力を確実に加えることが可能とされる。そして、このような第２実施形態に係る冷菓用容器２に冷菓を入れると、冷菓ポーションとなる。
【００２０】
（第３実施形態）
次に、図５を参照して、本発明の第３実施形態に係る冷菓用容器３について説明する。図５は本発明の第３実施形態に係る冷菓用容器３の分解斜視図である。
【００２１】
図５に示すように、第３実施形態に係る冷菓用容器３が第１及び第２実施形態と異なる箇所は、蓋３２の構造であって、第１突出部１２ｂ及び２２ｂの代わりに複数の第１突出部３２ｂを備える箇所である。その他、鍔部３２ａ、把持部３２ｃの構成は第１実施形態と同様である。この複数の第１突出部３２ｂは蓋３２の中心から周方向に所定の距離を有し、周方向に所定間隔を設けて配置され、円柱型に突出した形状を有している。このような形状を有することにより、冷菓を収容した場合、蓋３２に対し容器本体１４を回転させる際、第１実施形態と比較して、第１突出部３２ｂが冷菓から外れることなく力を確実に加えることが可能とされる。そして、このような第３実施形態に係る冷菓用容器３に冷菓を入れると、冷菓ポーションとなる。
【００２２】
（第４実施形態）
次に、図６を参照して、本発明の第４実施形態に係る冷菓用容器４について説明する。図６は本発明の第４実施形態に係る冷菓用容器４の斜視図である。
【００２３】
図６に示すように、第４実施形態に係る冷菓用容器４が、第１実施形態と異なる箇所は、鍔部４２ａの外側に突出した第２突出部４２ｄを所定間隔に複数個配置したことであり、その他、鍔部４２ａ、第１突出部４２ｂ、把持部４２ｃの構成は第１実施形態と同様である。このような蓋４２の構造によって、蓋４２と容器本体１４とを把持して回転させる際、この第２突出部４２ｄを把持することにより滑ることなく蓋４２を把持することが可能とされる。そして、このような第４実施形態に係る冷菓用容器４に冷菓を入れると、冷菓ポーションとなる。
【００２４】
（第５実施形態）
次に、図７及び図８を参照して、本発明の第５実施形態に係る冷菓用容器５について説明する。図７は本発明の第５実施形態に係る冷菓用容器５の斜視図であり、図８はその下面図である。
【００２５】
図７及び図８に示すように、第１実施形態の冷菓用容器１と異なる箇所は、容器本体５４に形成された複数の第３突出部５４ｄを備える点であり、その他、嵌合部５４ａ、嵌合補助部５４ｂ及び把持部５４ｃは第１実施形態と同様の構成である。これら複数の第３突出部５４ｄは、容器本体５４の内側に突出しており、容器本体５４の底辺中心から開口に向かって螺旋状に延びるように形成されている。
【００２６】
これら複数の第３突出部５４ｄにより、容器本体５４は螺子穴、その容器本体５４に収容された冷菓は螺子、に対応する機能を果たす。すなわち、これらの構成により、蓋１２と容器本体５４とを回転させることにより、冷菓１０及び蓋１２は容器本体５４と隔離することが可能とされる。そして、このような第５実施形態に係る冷菓用容器５に冷菓を入れると、冷菓ポーションとなる。
【００２７】
以上、発明の実施の形態を説明したが、本発明はこれらに限定されるものではなく、発明の趣旨を逸脱しない範囲内において種々の変更、追加、置換等が可能である。例えば、第４実施形態に係る第２突出部４２ｄは、第１実施形態に係る蓋１２に限られず、第２及び第３実施形態に係る蓋２２及び蓋３２に形成されていてもよい。また、第５実施形態に係る容器本体５４を、第１〜第４実施形態に係る容器本体１４と置き換えても良い。
【図面の簡単な説明】
【００２８】
【図１】本発明に係る冷菓ポーション、及び冷菓用容器の第１実施形態を示す斜視図である。
【図２】図１の分解斜視図である。
【図３】図１のＡ−Ａ’断面図である。
【図４】本発明に係る冷菓用容器の第２実施形態を示す分解斜視図である。
【図５】本発明に係る冷菓用容器の第３実施形態を示す分解斜視図である。
【図６】本発明に係る冷菓用容器の第４実施形態を示す斜視図である。
【図７】本発明に係る冷菓用容器の第５実施形態を示す斜視図である。
【図８】図７の下面図である。
【符号の説明】
【００２９】
１，２，３，４，５…冷菓用容器
１０…冷菓
１２，２２，３２，４２…蓋
１４，５４…容器本体
１２ａ，２２ａ，３２ａ，４２ａ…鍔部
１２ｂ，２２ｂ，３２ｂ，４２ｂ…第１突出部
１２ｃ，２２ｃ，３２ｃ，４２ｃ…把持部
４２ｄ…第２突出部
１４ａ，５４ａ…嵌合部
１４ｂ，５４ｂ…嵌合補助部
１４ｃ，５４ｃ…把持部
５４ｄ…第３突出部
【図１】
2007076709.tif 000003
【図２】
2007076709.tif 000004
【図３】
2007076709.tif 000005
【図４】
2007076709.tif 000006
【図５】
2007076709.tif 000007
【図６】
2007076709.tif 000008
【図７】
2007076709.tif 000009
【図８】
2007076709.tif 000010